【手続補正書】
【提出日】平成25年2月21日(2013.2.21)
【手続補正１】
【補正対象書類名】明細書
【補正対象項目名】００２８
【補正方法】変更
【補正の内容】
【００２８】
他の実施例において、方向性を制御するために、二点係留システムが利用される。このシステムは、図１２に示されるように、緩く係留されている。図１２において、緩い係留線４１は支軸１６に取付けられ、第二の係留線４２は、支軸１７に取付けられている。図１４に示されるケーブルウィンチ４３のような機構が、どちらかの係留線を短くしたり緩めたりするために使用できる。こうしてフロートが所望の方向に向くようにフロートに回転を起こす。
【手続補正２】
【補正対象書類名】明細書
【補正対象項目名】００２９
【補正方法】変更
【補正の内容】
【００２９】
他の実施例においては、方向を制御するために三点係留システムが使用される。このシステムは、図１３に示されるように、緩く係留される。係留線４１，４２、および４４は変換機１０の押上板１４に従来の手段により取付けできる。一つの実施例においては、係留線４１と４２は、図１４に示されるように、ケーブルウィンチ４３を通して押上板１４への共通の係留点を形成する。図１４に示されるように、ケーブルの方向を調節することにより、押上板１４は、変換機１０を所望の方向に向けるため、所定の方向に向くように回転される。
【手続補正３】
【補正対象書類名】明細書
【補正対象項目名】００３６
【補正方法】変更
【補正の内容】
【００３６】
図１９に示されるように、支柱１３を安定させるために、押上板１４から安定板５４を吊り下げることも可能である。同じ理由で、支持ケーブル５５によって安定板５４を安定板９から又は第二の押上板（図示なし）を押上板１４から、またはこの発明の波エネルギー変換機の作動を安定させるために、これらの板の組み合わせを吊り下げることも可能である。
【手続補正４】
【補正対象書類名】特許請求の範囲
【補正対象項目名】全文
【補正方法】変更
【補正の内容】
【特許請求の範囲】
【請求項１】
第一と第二のフロートと、
該第一のフロートを該第二のフロートに連結し、これらのフロートが一つの回転軸周りに相対的に回転可能であるようにする第一と第二の支軸であって、該第一フロートと該第二フロートは、連結されたとき、その中央空所を形成する該第一と第二のフロート支軸と、
モーターハウジングに終わる上端と下端とを有する支柱であって、該モーターハウジングが防水の内部室を形成し、該モーターハウジングは、その対向側壁に一個が設けられた少なくとも二つの封止軸受を含んでいる該支柱と、
該防水の内部室に配置された回転式の出力取出し部と、
該少なくとも二つの封止軸受のひとつに回転可能に支持され、該第一のフロートを該回転式出力取出し部に連結する第一駆動軸であって、該第一のフロートの該回転軸周りの回転が該第一駆動軸を回転させるようにされた該第一駆動軸と、
該少なくとも二つの封止軸受のひとつに回転可能に支持され、該第二のフロートを該回転式出力取出し部に連結する第二駆動軸であって、該第二のフロートの該回転軸周りの回転が該第二駆動軸回転させるようにされた該第二駆動軸とを有する、波エネルギー変換機であって、
該支柱は、該第一フロートと第二フロートにより形成される該中央空所内に収められ、該第一駆動軸と第二駆動軸を通して該第一フロートと第二フロートを支持しており、
該支柱の下端は、水中に延びており、該第一フロートと第二フロートは、水面に支持され、水の波動の上下動と波動のスラストが、該支柱と、該第一フロートと第二フロートを互いに対して該回転軸周りに回転せしめて、回転エネルギーを該モーターハウジング内の該出力取出し部に伝達するようにされた波エネルギー変換機。
【請求項２】
さらに該支柱下端に取付けられた押上板を有し、該押上板が該波エネルギー変換機を安定させ、波の上下動による支柱の押上運動に抵抗する作用をする請求項１に記載の波エネルギー変換機。
【請求項３】
該支柱は、該支柱が回転する枢動点を有している請求項２に記載の波エネルギー変換機。
【請求項４】
該枢動点が、押上板と水面との間にある請求項３に記載の波エネルギー変換機。
【請求項５】
該押上板に取付けられた三点係留装置をさらに有する請求項２に記載の波エネルギー変換機。
【請求項６】
該押上板は、円形状であってその周囲に取付けられたケーブルウィンチを有し、該波エネルギー変換機を波の移動方向に対して回転させるために、該ケーブルウィンチは、少なくとも一つの係留装置に連結されている請求項５に記載の波エネルギー変換機。
【請求項７】
支持ケーブルにより該支柱下端に取付けられた安定板をさらに有し、該安定板が波エネルギー変換機を安定させ、該支柱の垂直運動を抑える作用をする請求項１に記載の波エネルギー変換機。
【請求項８】
該出力取出し部が、該防水の内部室内において該モーターハウジングに取付けられたハウジングと、該  第一と第二の駆動軸の少なくとも一つに取付けられたローターアセンブリとを有する低速高トルクの発電機である請求項１に記載の波エネルギー変換機。
【請求項９】
該出力取出し部はさらに、二つの低速高トルク発電機を有しており、その各々が、該防水の内部室内において該モーターハウジングに取付けられたハウジングを有し、該発電機の第一が該第一駆動軸に取付けられたローターアッセンブリを有し、該発電機の第二が該第二駆動軸に取付けられたローターアッセンブリを有している請求項１に記載の波エネルギー変換機。
【請求項１０】
該第一と第二の低速高トルク発電機の各々が、約８０トンの発電機である請求項９に記載の波エネルギー変換機。
【請求項１１】
該出力取出し部が、該第一駆動軸に取付けられたステーターアセンブリと該第二駆動軸に取付けられたローターアセンブリとを有する低速高トルク発電機を有する請求項１に記載の波エネルギー変換機。
【請求項１２】
該第一と第二のフロートがさらに、該第一と第二のフロートの下側に取付けられた整向ベーンを有しており、該整向ベーンが該波エネルギー変換機の向きを決める作用をする請求項１に記載の波エネルギー変換機。
【請求項１３】
波の移動方向に対して波エネルギー変換機の向きを決める作用をするために、該第二のフロートの下側に設けられた舵をさらに有する請求項１に記載の波エネルギー変換機。
【請求項１４】
該舵は、該回転軸が波の移動方向と直角になるように該波エネルギー変換機の向きを整向する請求項１３に記載の波エネルギー変換機。
【請求項１５】
該舵は、該回転軸が波の移動方向と平行になるように該波エネルギー変換機の向きを整向する請求項１３に記載の波エネルギー変換機。
【請求項１６】
第一のフロートアセンブリと、第二のフロートアセンブリと、支柱アセンブリを有し、該第一と第二のフロートアセンブリは、一つの回転軸の回りで互いに回転できるように一対の軸受を通して互いに回転可能に連結され、該第一と第二のフロートは、該支柱が挿入される中央空所を形成するように構成されており、該支柱は、第一の封止軸受により該第一のフロートに回転可能に連結され、さらに、該支柱が、該第一と第二のフロートに対して該回転軸の周りで相対回転可能になるように該第二の封止軸受に連結され、該支柱は、その頂部に防水のモーターハウジングと、該防水モーターハウジング内に出力取出し部とを有し、該出力取出し部は、該第一の封止軸受を通ると共に該第一フロートと連結する第一の駆動軸と、該第二の封止軸受を通ると共に該第二のフロートに連結する第二の駆動軸を有している波エネルギー変換機を水中に係留するステップと、
該波エネルギー変換機を波の移動方向に対して整向するステップを有する水の波のエネルギーを変換する方法。
【請求項１７】
該波エネルギー変換機は、該回転軸が、波の進行方向に対して直角になるように整向される請求項１６に記載の方法。
【請求項１８】
該波エネルギー変換機は、該回転軸が、波の進行方向に対して平行になるように整向される請求項１６に記載の方法。
【手続補正５】
【補正対象書類名】図面
【補正対象項目名】図１９
【補正方法】変更
【補正の内容】
【図１９】
2012518742.tif 000001